【手続補正書】
【提出日】平成30年5月20日(2018.5.20)
【手続補正１】
【補正対象書類名】特許請求の範囲
【補正対象項目名】全文
【補正方法】変更
【補正の内容】
【特許請求の範囲】
【請求項１】
共用周波数スペクトルでワイヤレス通信システムを動作させる方法であって、
ライセンスされている周波数スペクトルで、プライマリサービス提供セル（ＰＣｅｌｌ）におけるユーザ機器（ＵＥ）を初期化することと、
前記共用周波数スペクトルのキャリア上で動作するセカンダリサービス提供セル（ＳＣｅｌｌ）と通信するように前記ＵＥを構成することと、
前記共用周波数スペクトルがＢＵＳＹかどうか判定するため基地局（ｅＮＢ）によって前記共用周波数スペクトルをモニタリングすることと、
前記共用周波数スペクトルがＢＵＳＹでない場合に前記共用周波数スペクトルで前記ＵＥに送信することと、
前記共用周波数スペクトルがＢＵＳＹである場合に第１の時間待機することと、
前記共用周波数スペクトルがＢＵＳＹである場合に前記第１の時間の後に前記共用周波数スペクトルにおける前記キャリアを開放するよう前記ＵＥに指示することと、
を含む、方法。
【請求項２】
請求項１に記載の方法であって、
前記共用周波数スペクトルがライセンスされていない周波数スペクトルである、方法。
【請求項３】
請求項１に記載の方法であって、
衝突回避を備える搬送波感知多重アクセス（ＣＳＭＡ／ＣＡ）を用いて前記共用周波数スペクトルにアクセスすることを更に含む、方法。
【請求項４】
請求項１に記載の方法であって、
前記第１の時間の後に無線リソース制御（ＲＲＣ）シグナリングによって前記共用周波数スペクトルを開放するように前記ＵＥに指示することを更に含む、方法。
【請求項５】
請求項１に記載の方法であって、
前記第１の時間の後に媒体アクセス制御（ＭＡＣ）シグナリングによって前記ＳＣｅｌｌをディアクティブにするように前記ＵＥに指示することを更に含む、方法。
【請求項６】
請求項１に記載の方法であって、
前記共用周波数スペクトルがＢＵＳＹでない場合に第１の複数のチャネルで前記ＵＥに送信することと、
前記共用周波数スペクトルから第２の複数のチャネルを除外することと、
を更に含む、方法。
【請求項７】
請求項１に記載の方法であって、
前記共用周波数スペクトルでの送信から物理ブロードキャストチャネル（ＰＢＣＨ）を除外することを更に含む、方法。
【請求項８】
請求項１に記載の方法であって、
前記共用周波数スペクトルがＢＵＳＹである場合に前記ｅＮＢによって前記共用周波数スペクトルで発見基準信号を送信することを更に含む、方法。
【請求項９】
請求項１に記載の方法であって、
前記ｅＮＢによって前記共用周波数スペクトルでトラッキング基準信号を送信することを更に含む、方法。
【請求項１０】
共用周波数スペクトルで通信システムを動作させる方法であって、
ライセンスされている周波数スペクトルで動作するプライマリサービス提供セル（ＰＣｅｌｌ）においてユーザ機器（ＵＥ）を初期化することと、
前記ＵＥから前記共用周波数スペクトルで動作する少なくとも１つのセカンダリサービス提供セル（ＳＣｅｌｌ）にデータを送信することと、
ＢＵＳＹ状態を判定するために前記ＵＥによって前記少なくとも１つのＳＣｅｌｌをモニタリングすることと、
前記少なくとも１つのＳＣｅｌｌがＢＵＳＹでない場合に前記少なくとも１つのＳＣｅｌｌで基地局に送信することと、
前記少なくとも１つのＳＣｅｌｌがＢＵＳＹである場合に前記少なくとも１つのＳＣｅｌｌの前記ＢＵＳＹ状態を前記基地局にレポートすることと、
を含む、方法。
【請求項１１】
請求項１０に記載の方法であって、
前記共用周波数スペクトルがライセンスされていない周波数スペクトルである、方法。
【請求項１２】
請求項１０に記載の方法であって、
衝突回避を備えた搬送波感知多重アクセス（ＣＳＭＡ／ＣＡ）を用いて前記共用周波数スペクトルにアクセスすることを更に含む、方法。
【請求項１３】
請求項１０に記載の方法であって、
前記ＰＣｅｌｌの物理アップリンク制御チャネル上のアップリンク制御情報パケットにおいて前記ＢＵＳＹ状態をレポートすることを更に含む、方法。
【請求項１４】
請求項１０に記載の方法であって、
前記ＢＵＳＹ状態が、前記基地局からの無線リソース制御シグナリングによって準静的に構成される物理アップリンク制御チャネルリソースで送信される、方法。
【請求項１５】
請求項１０に記載の方法であって、
前記ＢＵＳＹ状態が、前記基地局からのダウンリンク制御情報パケットによって動的にシグナリングされる物理アップリンク制御チャネルリソースで送信される、方法。
【請求項１６】
請求項１０に記載の方法であって、
前記少なくとも１つのＳＣｅｌｌの状態がＢＵＳＹであると判定することと、
少なくとも１つの別のセカンダリサービス提供セルのＩＤＬＥ状態を判定することと、
前記ＰＣｅｌｌの物理アップリンク制御チャネルで前記少なくとも１つの別のセカンダリサービス提供セルのアイデンティティを前記基地局に送信することと、
を更に含む、方法。
【請求項１７】
共用周波数スペクトルでワイヤレス通信システムを動作させる方法であって、
ライセンスされている周波数スペクトルでプライマリサービス提供セルにおけるユーザ機器（ＵＥ）を初期化することと、
前記共用周波数スペクトルでセカンダリサービス提供セル（ＳＣｅｌｌ）と通信するように前記ＵＥを構成することと、
前記共用周波数スペクトルでプライマリユーザが検出される場合に前記ＵＥで前記ＳＣｅｌｌに対応する無線リソース管理（ＲＲＭ）レポートを受信することと、
を含む、方法。
【請求項１８】
請求項１７に記載の方法であって、
前記共用周波数スペクトルが認可共用アクセス（ＡＳＡ）周波数スペクトルであり、前記プライマリユーザが前記ＳＣｅｌｌより高いアクセス優先順位を有する、方法。
【請求項１９】
請求項１７に記載の方法であって、
前記ＲＲＭレポートが周期的である、方法。
【請求項２０】
請求項１７に記載の方法であって、
前記ＲＲＭレポートが動的周波数選択（ＤＦＳ）イベントである、方法。
【請求項２１】
装置であって、
ライセンスされた周波数スペクトルで動作するプライマリサービングセル（ＰＣｅｌｌ）においてユーザ機器（ＵＥ）を初期化するための回路要素と、
データを前記ＵＥから共用周波数スペクトルで動作する少なくとも１つのセカンダリサービングセルに送信するための回路要素と、
ＢＵＳＹ状態を判定するために前記ＵＥにより前記少なくとも１つのＳＣｅｌｌを監視するための回路要素と、
ＢＵＳＹでない場合に前記少なくとも１つのＳＣｅｌｌにおける基地局に送信するための回路要素と、
ＢＵＳＹである場合に前記少なくとも１つのＳＣｅｌｌの前記ＢＵＳＹ状態を報告するための回路要素と、
を含む、装置。
【請求項２２】
請求項２１に記載の装置であって、
前記共用周波数スペクトルがライセンスされていない周波数スペクトルである、装置。
【請求項２３】
請求項２１に記載の装置であって、
衝突回避を備える搬送波感知多重アクセス（ＣＳＭＡ／ＣＡ）を用いて前記共用周波数スペクトラムにアクセスするための回路要素を更に含む、装置。
【請求項２４】
請求項２１に記載の装置であって、
前記ＰＣｅｌｌの物理アップリンク制御チャネル上のアップリンク制御情報パケットにおいて前記ＢＵＳＹ状態を報告するための回路要素を更に含む、装置。
【請求項２５】
請求項２１に記載の装置であって、
前記ＢＵＳＹ状態が、無線リソース制御シグナリングにより準静的に構成される物理アップリンク制御チャネルリソース上で前記基地局から伝送される、装置。
【請求項２６】
請求項２１に記載の装置であって、
前記ＢＵＳＹ状態が、ダウンリンク制御情報パケットにより動的にシグナリングされる物理アップリンク制御チャネルリソース上で前記基地局から伝送される、装置。
【請求項２７】
請求項２１に記載の装置であって、
前記少なくとも１つのＳＣｅｌｌの状態がＢＵＳＹかを判定するための回路要素と、
少なくとも別のセカンダリサービングセルのアイドル状態を判定するための回路要素と、
前記ＰＣｅｌｌの物理アップリンク制御チャネル上で前記少なくとも別のセカンダリサービングセルの固有性を前記基地局に送信するための回路要素と、
を更に含む、装置。
【請求項２８】
装置であって、
ライセンスされた周波数スペクトルでプライマリサービングセルにおいてユーザ機器（ＵＥ）を初期化するための回路要素と、
共用周波数スペクトルでセカンダリサービングセルと通信するために前記ＵＥを構成するための回路要素と、
プライマリユーザが前記共用周波数スペクトルに検出されると、前記ＳＣｅｌｌに対応する無線リソース管理（ＲＲＭ）報告を前記ＵＥで受信するための回路要素と、
を含む、装置。
【請求項２９】
請求項２８に記載の装置であって、
前記共用周波数スペクトルが認可共有アクセス（ＡＳＡ）周波数スペクトルであり、前記プライマリユーザが前記ＳＣｅｌｌよりも高いアクセス優先度を有する、装置。
【請求項３０】
請求項２８に記載の装置であって、
前記ＲＲＭ報告が周期的である、装置。
【請求項３１】
請求項２８に記載の装置であって、
前記ＲＲＭ報告が動的周波数選択（ＤＦＳ）事象を示す、装置。